(57)【要約】【課題】電源装置の切替時における電圧落込みの発生を抑える。【解決手段】少なくとも、第１制御電力に基づいて作動する第１作動モードと、第２制御電力に基づいて作動する第２作動モードの２つの作動モードを有する負荷に対し、電力供給を行う電源装置であって、該電源装置は、第１制御電力を供給する第１電源装置１と、第２制御電力を供給する第２電源装置２と、第１電源装置１と第２電源装置２との切替時において、切替前の電源装置よりも切替先の電源装置の方を、出力電圧が高い状態とする電圧制御手段と、を備える。【選択図】図５
2014057427.tif 000002
【特許請求の範囲】
【請求項１】
少なくとも、第１制御電力に基づいて作動する第１作動モードと、第２制御電力に基づいて作動する第２作動モードの２つの作動モードを有する負荷に対し、電力供給を行う電源装置であって、
前記第１制御電力を供給する第１電源装置と、
前記第２制御電力を供給する第２電源装置と、
前記第１電源装置と前記第２電源装置との切替時において、切替前の電源装置よりも切替先の電源装置の方を、出力電圧が高い状態とする電圧制御手段と、を備えたことを特徴とする電源装置。
【請求項２】
起動時において、前記第１電源装置は前記第２電源装置より先に起動し、
前記第２電源装置は、前記第１電源装置の起動後に起動信号を受けて起動することを特徴とする請求項１に記載の電源装置。
【請求項３】
前記第２電源装置は、起動から停止後の所定の遅延時間まで、負荷に対し出力開始信号を出力することを特徴とする請求項２に記載の電源装置。
【請求項４】
前記電圧制御手段は、前記起動信号と前記出力開始信号に基づいて前記第１電源装置の出力電圧を高くする電圧上昇信号を生成し、
前記第１電源装置は前記電圧上昇信号に基づいて出力電圧を高くすることを特徴とする請求項３に記載の電源装置。
【請求項５】
前記第１電源装置は、電圧切替信号に基づいて出力電圧を前記第２電源装置よりも低い電圧に切り替える電圧切替手段を有し、
前記第２電源装置から負荷への前記第２制御電力の供給時には、前記第１電源装置を休止状態とすることを特徴とする請求項１から４までのいずれかに記載の電源装置。
【請求項６】
前記第１電源装置へのＡＣ電源供給を遮断するＡＣ遮断手段を有し、
前記第２電源装置から負荷への前記第２制御電力の供給時には、前記ＡＣ遮断手段により前記第１電源装置を停止させることを特徴とする請求項１から４までのいずれかに記載の電源装置。
【請求項７】
前記第１電源装置は、該第１電源装置からの出力電流を制御する電流監視回路を有し、
前記電流監視回路は、出力電流が該第１電源装置の定格電流以上とならないように制御することを特徴とする請求項１から５までのいずれかに記載の電源装置。
【請求項８】
前記第１電源装置は、負荷への出力側に出力電圧を減衰させる直流抵抗部を有することを特徴とする請求項１から５までのいずれかに記載の電源装置。
【請求項９】
請求項１から８までのいずれかに記載の電源装置を備え、該電源装置から電力を供給されることを特徴とする電子機器装置。
【請求項１０】
請求項１から８までのいずれかに記載の電源装置を備え、該電源装置から電力を供給され、
前記第１制御電力に基づいて作動する省エネモードと、
前記第２制御電力に基づいて作動する画像形成モードと、を有することを特徴とする画像形成装置。
【発明の詳細な説明】
【技術分野】
【０００１】
本発明は、電源装置、電子機器装置および画像形成装置に関する。さらに詳述すると、交流電源を直流電源に変換する電源装置であって、動作時と省エネ時の電力とで負荷が変化する回路に電源を供給する電源装置およびこれを備えた電子機器装置および画像形成装置に関する。
【背景技術】
【０００２】
近年、電子機器装置には、節電のため省電力化モード（省エネモード）を備えたものが多くなっている。例えば、複写機、プリンタ、ファクシミリ、および、それらの機能を複合化した複合機等の画像形成装置の場合、通常、電力制御の状態として、電源オフ状態、スタンバイ状態、スリープモード状態の大きく三つの事象に分けられる。
【０００３】
電源オフ状態は、主電源スイッチがオフの状態で画像形成装置に電源が供給されていない状態であり、スタンバイ状態は、主電源スイッチがオンの状態で、画像形成装置にＡＣ電源が供給され、内部で使用する５ＶなどのＤＣ電源を生成することでモータ・クラッチなどを用いてメカ負荷を駆動して迅速に画像形成できる状態（動作時、動作モード、画像形成モードともいう）を指している。
【０００４】
スリープ状態は、所定時間未使用の状態が続いた場合やユーザが操作キーによって状態の遷移を指示した場合に、一部の限られた特定デバイスのみに電源の供給を続け、他のデバイスへの電源供給を遮断することによって、消費電力を低減させた状態（省エネ時、省エネモードともいう）である。
【０００５】
このような画像形成装置の場合、ユーザがコピー及び原稿読み取り操作を実施した時、外部ホストからプリント指示が入力された時、ＦＡＸ受信を開始した時等に、スリープモードからスタンバイモードに移行し、プリント動作を実施するものである。
【０００６】
このような画像形成装置等の電子機器装置には、ＡＣ電源（１００Ｖ）をＤＣ電源に変換する電源装置が搭載されており、電源装置は５Ｖなどの安定した直流電圧を供給している。例えば、図１４（Ａ）に示すように、１０Ａの直流電流を供給する電源装置９０の場合、動作時の１００％近く（９Ａ）から省エネ時の１０％以下（０〜１Ａ）の電流までと負荷範囲が広い。電源装置においては、出力電流が定格電流の１０％以下となると効率（電源効率、電力供給効率をいう）が著しく低下するため、図１４（Ａ）に示す電源装置９０の制御回路９１への供給では、効率が非常に悪いこととなる。
【０００７】
このため、例えば、図１４（Ｂ）に示すように、動作電流の小さい電源装置（１Ａ）９３と、動作用の電源装置（９Ａ）９４の２つの電源装置を設け、それぞれに適した負荷９５，９６に供給させ、動作回路９６の停止時には、電源装置９３のみから出力することで、省エネ効率を高くする方法が知られている。例えば、特許文献１には、第１の電源装置と第２の電源装置により、電子機器装置の待機時と動作時で電源を切り替える構成が開示されている。
【０００８】
しかしながら、実際には、電子機器装置では制御回路と動作回路が複雑に絡み合っているため、図１４（Ｂ）に示すように制御回路９５と動作回路９６とに完全に切り離すことは難しい。このため、切り離すことができない場合は、電源も分けられないこととなり、省エネ時の電源効率が低下し、消費電力が増加してしまうという問題があった。
【０００９】
また、特許文献２では、消費電力の小さい省エネモードで高効率となる第１電源装置と、動作時に画像制御エンジンなどへ電力を供給可能な第２電源装置と、を切り替えて一つの負荷（画像形成装置）に電力供給を行う電源装置であって、省エネ時（第１電源装置から供給時）に第２電源装置の電圧検出回路を切り離して高効率化を図り、動作時に（第２電源装置から供給時）に第１電源装置を休止状態にさせる電源装置が開示されている。
【発明の概要】
【発明が解決しようとする課題】
【００１０】
しかしながら、上記特許文献２の発明のように、第１電源装置と第２電源装置とを切り替えて１つの負荷に電力を供給する電源装置においては、図１５に示すように、第１電源装置と第２電源装置との出力の切替時に電源装置の出力電圧が電圧範囲仕様（例えば、５Ｖ±５％）を超えて落ち込んでしまうという問題（以下、電圧落込みという）が生じ得るという問題があった。
【００１１】
そこで本発明は、電源装置の切替時における出力電圧を適切に制御して、電源装置の切替時における電圧落込みの発生を抑えることができる電源装置およびこれを備えた電子機器装置および画像形成装置を提供することを目的とする。
【課題を解決するための手段】
【００１２】
かかる目的を達成するため、本発明に係る電源装置は、少なくとも、第１制御電力に基づいて作動する第１作動モードと、第２制御電力に基づいて作動する第２作動モードの２つの作動モードを有する負荷に対し、電力供給を行う電源装置であって、前記第１制御電力を供給する第１電源装置と、前記第２制御電力を供給する第２電源装置と、前記第１電源装置と前記第２電源装置との切替時において、切替前の電源装置よりも切替先の電源装置の方を、出力電圧が高い状態とする電圧制御手段と、を備えたものである。
【発明の効果】
【００１３】
本発明によれば、電源装置の切替時における電圧落込みの発生を抑えることができる。
【図面の簡単な説明】
【００１４】
【図１】本発明に係る電源装置の一実施形態を示す概略構成図である。
【図２】電源装置の回路構成図である（第１の実施形態）。
【図３】（ａ）第１電源装置の出力電圧、（ｂ）第２電源装置の出力電圧、（ｃ）第１電源装置および第２電源装置の出力電圧を併せて示したグラフ、（ｄ）電源装置の出力電圧を示すグラフである。
【図４】（ａ）第１電源装置の出力電圧、（ｂ）第２電源装置の出力電圧、（ｃ）第１電源装置および第２電源装置の出力電圧を併せて示したグラフ、（ｄ）電源装置の出力電圧を示すグラフである。
【図５】（ａ）第１電源装置の出力電圧、（ｂ）第２電源装置の出力電圧、（ｃ）第１電源装置および第２電源装置の出力電圧を併せて示したグラフ、（ｄ）電源装置の出力電圧を示すグラフである。
【図６】（１）起動時から省エネモード、（２）省エネモードから動作モードへの切替時、（３）動作モードから省エネモードへの切替時、のそれぞれの状態における各電源装置各信号等のタイミングチャートである（第１の実施形態）。
【図７】信号絶縁回路の構成例である。
【図８】電圧検出回路の構成例である。
【図９】（１）起動時から省エネモード、（２）省エネモードから動作モードへの切替時、（３）動作モードから省エネモードへの切替時、のそれぞれの状態における各電源装置各信号等のタイミングチャートである（第２の実施形態）。
【図１０】電源装置の回路構成図である（第３の実施形態）。
【図１１】電源装置の回路構成図である（第４の実施形態）。
【図１２】電源装置の回路構成図である（第５の実施形態）。
【図１３】電源装置の回路構成図である（第６の実施形態）。
【図１４】従来の電源装置の説明図である。
【図１５】電圧落込みの説明図である。
【発明を実施するための形態】
【００１５】
以下、本発明に係る構成を図１から図１３に示す実施の形態に基づいて詳細に説明する。
【００１６】
（電源装置の概要）
電源装置の回路構成図の概略を図１に示す。電源装置は、少なくとも、第１制御電力に基づいて作動する第１作動モード（省エネモード）と、第２制御電力に基づいて作動する第２作動モード（動作モード）の２つの作動モードを有する負荷（画像形成装置の制御回路等）に対し、電力供給を行う電源装置であって、該電源装置は、第１制御電力を供給する第１電源装置（第１電源装置１）と、第２制御電力を供給する第２電源装置（第２電源装置２）と、第１電源装置と第２電源装置との切替時において、切替前の電源装置よりも切替先の電源装置の方を、出力電圧が高い状態とする電圧制御手段（図２、図６、電圧上昇信号７等）と、を備えたものである。なお、括弧内は実施形態での符号、適用例を示す。
【００１７】
すなわち、２系統の電源により１つの負荷（画像形成装置の制御回路）へ電力を供給する電源装置である。ここで２系統の電源とは、一方は消費電力の小さい省エネモードで高効率となる第１電源装置１であり、他方は動作時に画像制御エンジンなどへ電力を供給可能な第２電源装置２である。
【００１８】
以下に詳細に述べるが、省エネ時においては負荷電流の小さいところで高効率となる第１電源装置１のみ（第２電源装置２は停止状態）から制御回路へ電力を供給することで高効率となる。また、画像制御エンジンなどを動作させる場合の動作電力を、第２電源装置２から供給するものである。
【００１９】
（第１の実施形態）
図２に図１に示した回路構成図の詳細であって、本実施形態に係る回路構成図を示す。図１に示すように、本実施形態に係る電源装置は、第１電源装置１、第２電源装置２の２つの電源装置が並列接続されて構成されており、ＡＣ電源（１００Ｖ）が供給され、画像形成装置などの負荷へ、省エネモードや動作モードなどの画像形成装置のモードに応じて電源装置を切り替えて電力供給するものである。なお、本実施形態では、負荷として画像形成装置の制御回路を例として説明する。
【００２０】
一般に電源装置は定格電流に対し１０％以下の電流になると、効率が低下する。したがって、省エネモードで１０％以下の負荷となる制御回路の場合、１つの電源装置では効率が低下し、消費電力が増加してしまう。
【００２１】
そこで、本実施形態に係る電源装置は、第２電源装置２よりも出力の小さい第１電源装置１を備え、第１電源装置１から制御回路に電力供給することにより効率低下を抑え、消費電力を抑えている。換言すれば、第１電源装置１は、画像形成装置が軽負荷時における電力供給効率が有利な電源装置であって、本実施形態では、画像形成装置が省エネモードで動作する際に、第１電源装置１から、その制御回路へ電力を供給するものである。
【００２２】
また、第２電源装置２は、画像形成装置が画像エンジンなどを動作させて画像形成動作を実行させる際の電力供給効率が有利な電源装置であって、本実施形態では、画像形成装置が画像形成モードで動作する際に、第２電源装置２から、画像形成装置の制御回路へ電力を供給するものである。
【００２３】
［電圧落込み］
このような２系統の電源により１つの負荷へ電力を供給する電源装置の切替時における電圧落込みが発生する原理について図３、図４を参照して説明する。それぞれ（ａ）は第１電源装置１の出力電圧、（ｂ）は第２電源装置２の出力電圧、（ｃ）は第１電源装置１および第２電源装置２の出力電圧を併せて示し、（ｄ）は電源装置の出力電圧を示している。縦軸は電圧（Ｖ）、横軸は時間を示す。なお、出力電圧は実際には、第１電源装置１、第２電源装置の電圧に±１０％（±０．５Ｖ）程度の差が生じる。
【００２４】
図３に示すように、第１電源装置１の電圧（５．１Ｖ）が第２電源装置２（５．０Ｖ）よりも高い場合、第１電源装置１から出力している間、第２電源装置２は休止状態とするが、第１電源装置１の電圧を低くした場合（５．１Ｖ→４．５Ｖ）に、第２電源装置２が応答するまで電圧落込みが発生する（図３（ｄ）のａで示す）。
【００２５】
また、図４に示すように、第２電源装置２の電圧（５．０５Ｖ）が第１電源装置１（５．０Ｖ）よりも高い場合、同様の理由で第２電源装置２を停止した場合に電圧落込みが発生する（図４（ｄ）のｂで示す）。
【００２６】
このように、電源装置の切替には、第１電源装置１から第２電源装置２への切替と、逆に、第２電源装置２から第１電源装置１への切替の２つの場合があるが、電圧落込みが生じるのは、休止状態からもう一方の電圧が下がることで出力状態に移る時であり、電圧落込みが生じないのは、出力電圧が低い方から高くなりながら切替わる場合である。
【００２７】
そこで、本実施形態の電源装置は、図５に示すように、出力の切替時において、出力電圧が低い方から高くなるように切り替えるものである。なお、図５（ａ）は第１電源装置１の出力電圧、（ｂ）は第２電源装置２の出力電圧、（ｃ）は第１電源装置１および第２電源装置２の出力電圧を併せて示し、（ｄ）は電源装置の出力電圧を示している。縦軸は電圧（Ｖ）、横軸は時間を示す。
【００２８】
すなわち、第１電源装置１の出力電圧（５.０Ｖ）よりも、第２電源装置２の出力電圧を高くするものである（例えば、５.０５Ｖ）。これにより、第１電源装置１から第２電源装置２へ切り替える際の電圧落込みの発生を防ぐことができる（図５（ｄ）のｃで示す）。
【００２９】
さらに、本実施形態の電源装置は、電圧制御手段により、図５に示すように、第２電源装置２から第１電源装置への切替時において、第１電源装置１の出力電圧を一時的に第２電源装置２の出力電圧よりも高くする（例えば、５．１Ｖ）ものである。
【００３０】
これにより、第２電源装置２から第１電源装置１への切替時においても、第１電源装置１の方が出力電圧を高い状態で切り替えることができるので、電圧落込みの発生をふせぐことができる（図５（ｄ）のｄで示す）。
【００３１】
［処理フロー］
以上の制御について、図６に示すタイムチャートを参照して詳細に説明する。図６は、電源装置にＡＣ電源が供給されてから（１）起動時から省エネモード、（２）省エネモードから動作モードへの切替時、（３）動作モードから省エネモードへの切替時、のそれぞれの状態における各電源装置１，２の出力、各信号の送出等のタイミングを示している。以下、図２および図６を参照しつつ、本実施形態に係る電源装置の動作について説明する。
【００３２】
＜（１）起動時から省エネモード＞
先ず、電源投入から起動まで（起動時）について説明する。本実施形態では、リレー（第１継電器、ＲＹ１）３は、後述するリレー起動信号（ＲＹ１起動信号）５を受けて起動するため、電源装置に供給されるＡＣ電源は第１電源装置１に供給される。ＡＣ電源が供給されると、第１電源装置１は起動し、制御回路へ５Ｖを供給する（Ｔ１）。
【００３３】
その後、画像形成装置は、省エネモードで待機する（Ｔ２）。このように、省エネモードなどの軽負荷時には、第１電源装置１から供給することにより省エネ時の消費電力を少なくすることができる。
【００３４】
第１電源装置１は、出力電圧５Ｖを安定して供給するため常時電圧を検出するための電圧検出回路１４を有し、常時接続されている。
【００３５】
＜（２）省エネモードから動作モードへの切替＞
次に、省エネモードから動作モードへの移行について説明する。動作モードへの移行に際しては、リレー起動信号５により、リレー（ＲＹ１）３を起動（接続）させて、ＡＣ電源を第２電源装置２へ供給し、第２電源装置２から制御回路へ電力を供給するようにする（Ｔ３）。
【００３６】
この状態において動作電力を供給して、第２電源装置２の電圧が低下すると、第１電源装置１から第１電源装置１の定格以上の電流が供給され、オーバーロードとなり、図示しない保護回路等の動作による停止、部品の破損などのおそれがある。このため、第１電源装置１を停止または休止させておくことが必要となる。
【００３７】
そこで、本実施形態では、第１電源装置１を停止または休止させて、第２電源装置２から動作電流を供給させるため、先ず、第２電源装置２の起動と同時に、第２電源装置出力開始信号９を制御回路へ送信し（Ｔ４）、その後、第１電源装置１の出力電圧を５Ｖから４．５Ｖに低減させるようにしている（Ｔ５）
【００３８】
ここで、第２電源装置２が出力すると、出力端子には第２電源装置２の電圧が印加され、４．５Ｖにはらないため、第１電源装置１のみで動作させて調整する。なお、低減させる電圧値（４．５Ｖ）は、第２電源装置２の動作中の電圧変動の低い値を下回っていれば良い。ここでは第２電源装置２が、１０Ａを流した際に４．６Ｖまで下がると想定して、４．５Ｖとしている。
【００３９】
このように、第１電源装置１の電圧が４．５Ｖに切り替えられると、制御回路への動作電力の供給は、第２電源装置２の５．０５Ｖからのみ供給されることとなり、第１電源装置１を休止状態となる。これにより、制御回路は動作モードとなり、消費電力が１０Ａとなる（Ｔ６）。
【００４０】
＜（３）動作モードから省エネモードへの移行＞
次に、動作モードから省エネモードへの移行について説明する。先ず、制御回路の消費電力を、動作電力から１Ａ以下に抑えるため、動作電流を１Ａとする（Ｔ７）。
【００４１】
次に、出力電圧切替信号６により第１電源装置１の休止（停止）状態を解除させる。第２電源装置２から制御回路に対し電力を供給している状態のままである。
【００４２】
また、リレー起動信号５を遮断し（Ｔ８）、第２電源装置２を停止させる（Ｔ８Ａ）。ここで、第２電源装置２を停止しても、数百ミリ秒程度、第２電源装置出力開始信号９は遅延する（図２の遅延回路１１）。なお、制御上遅延させない信号が必要な場合は、別途回路で生成するようにする。
【００４３】
次いで、電圧上昇信号７（Ｓ７とする）が、リレー起動信号５（Ｓ５とする）と第２電源装置出力開始信号９（Ｓ９とする）に基づいて次式１により生成される（図２のＡＮＤ回路１２、ＮＯＴ回路１５）。
【数１】
2014057427.tif 000003
【００４４】
この電圧上昇信号７により、電圧上昇スイッチ４ａを制御して、第１電源装置１の出力電圧を５.１Ｖに上昇させ（Ｔ８Ａ，Ｔ８Ｂ）、第１電源装置１から制御回路に対し電源が供給されるようにする。これにより、起動時の状態（省エネモード）に戻り、省エネに優位な状態となる。また、第２電源装置出力開始信号９、電圧上昇信号７は遅延時間後にオフし、第１電源装置１の出力は５．０Ｖとなる（Ｔ９，Ｔ１０）。
【００４５】
以上説明した本実施形態に係る電源装置によれば、省エネ時には負荷電流の小さいところで高効率となる第１電源装置１のみから負荷へ電力を供給するため省エネ時の高効率化を図り、消費電力を低減することが可能となる。また、第２電源装置２の出力電流が増加して出力電圧が低下しても、第２電源装置２から制御回路へ電力を供給している状況となり、動作電力を供給することができる。また、電圧上昇信号７により第１電源装置１の出力電圧を上昇させて、電源装置の切替時における電圧落込みを解消することができる。なお、図２に示す回路構成は一例であって、これに限られるものではない。
【００４６】
なお、各電源装置１，２が有する信号絶縁回路１３としては、例えば、図７（Ａ）に示すようにフォトカプラ１３ａを用いることができる。フォトカプラ１３ａの内部には発光素子１６と受光素子１７が構成され、当該発光素子１６および受光素子１７により、電気的信号による接続を絶縁するものである。また、図７（Ｂ）に示すうに、フォトカプラ１３ａに替えて信号絶縁ＩＣを用いるようにしても良い。
【００４７】
また、各電源装置１，２が有する電圧検出回路１４としては、例えば、図８に示すようにシャントレギュレータ１８を用いることができる。シャントレギュレータ１８の内部には、オペアンプ（比較回路）２０、基準電圧源２１、出力トランジスタ１９が構成され、基準電圧源２１と出力電圧とをオペアンプ２０で比較して、出力トランジスタ１９にて信号出力するものである。
【００４８】
また、上述のように、省エネモードでは、第１電源装置１から電力供給を行い、第２電源装置２は停止させている。しかしながら、第２電源装置２が停止しており、第２電源装置２の電圧検出回路１４が不要な状態にあっても、第２電源装置２の電圧検出回路１４が接続されている状態では、この電圧検出回路１４で電力を消費してしまい、効率が低下し、消費電力が増えてしまう。そこで、第２電源装置２の停止時には、検出遮断スイッチ（切離回路）４ｂにより電圧検出回路１４を切り離すことにより、省エネ時の消費電力を低減し、省エネ効率を改善することも好ましい。この場合、第２電源装置２の起動と同時に電圧検出回路１４を接続するようにすれば良い（Ｔ４）。
【００４９】
このように、使用していない第２電源装置２の電圧検出回路１４を切り離すことで、電源装置の省エネ時効率を高くして消費電力を削減することができるとともに、電源装置の切替時における電圧落込みの発生を抑えることができる。
【００５０】
また、第１電源装置１の電圧検出回路１４に切離回路（図示せず）を設けてもよい。上述のように、動作時には第２電源装置２から電力を供給しているが、これにより、動作時の消費電力を抑えることが可能となる。
【００５１】
（第２の実施形態）
以下、本発明に係る電源装置の他の実施形態について説明する。なお、上記実施形態と同様の点についての説明は省略する。
【００５２】
第１の実施形態では、第１電源装置１の出力電圧を５Ｖから４．５Ｖへ切り替える例（図６のＴ５）について説明したが、例えば、電圧範囲の仕様が広い場合において、第１電源装置１の出力電圧を当初（起動時）から４．５Ｖとしてもよい。この場合、出力電圧切替信号６が不要となり、回路構成を簡易にすることができる。
【００５３】
第１電源装置１の出力電圧を当初から４．５Ｖとする場合の動作例について説明する。この場合、第１電源装置１からは４．５Ｖが出力され、第２電源装置２からは５．０５Ｖ（５Ｖでもよい）が供給される状態となるので、第２電源装置２が起動すると第１電源装置１より第２電源装置２の電圧が上回ることとなり、自ずと第２電源装置２から出力することとなる。
【００５４】
本実施形態に係る電源装置の動作について、図９に示すタイムチャートを参照して詳細に説明する。図９は、電源装置にＡＣ電源が供給されてから（１）起動時から省エネモード、（２）省エネモードから動作モードへの切替時、（３）動作モードから省エネモードへの切替時、のそれぞれの状態における各電源装置１，２の出力、各信号の送出等のタイミングを示している。なお、第１の実施形態（図６）と同様の点については説明を省略する。
【００５５】
＜（１）起動時＞
ＡＣ電源が供給されると第１電源装置１が起動し、制御回路へ４．５Ｖを供給する（Ｔ１）。これにより、画像形成装置は省エネモードで駆動する（Ｔ２）。
【００５６】
＜（２）省エネモードから動作モードへの移行＞
省エネモードから動作モードへの移行は、先ず、リレー起動信号５により、第２電源装置２を起動させる（Ｔ３）。次に、第２電源装置２の起動と同時に、第２電源装置出力開始信号９が制御回路へ送信される（Ｔ４）。
【００５７】
第２電源装置起動信号９を受けてから制御回路は動作モードとなり、１０Ａを消費する（Ｔ６）。
【００５８】
＜（３）動作モードから省エネモードへの移行＞
動作モードから省エネモードへの移行は、動作電流を１Ａとし（Ｔ７）、リレー起動信号５を遮断し、第２電源装置２を停止させる（Ｔ８）。ここで、第２電源装置２を停止しても、数百ミリ秒程度、第２電源装置出力開始信号９は遅延する。
【００５９】
次いで、電圧上昇信号７が、リレー起動信号５と第２電源装置出力開始信号９に基づいて生成される（上記式１）。
【００６０】
この電圧上昇信号７により第１電源装置１の出力電圧を５.１Ｖに上昇させ（Ｔ８Ａ，Ｔ８Ｂ）、第１電源装置１から制御回路に対し電源が供給されるようにする。これにより、起動時の状態（省エネモード）に戻り、省エネに優位な状態となる。また、第２電源装置出力開始信号９、電圧上昇信号７は遅延時間後にオフし、第１電源装置１の出力は４．５Ｖとなる（Ｔ９，Ｔ１０）。
【００６１】
（第３の実施形態）
上記第１の実施形態では、第１電源装置１の出力電圧を５Ｖから４．５Ｖへ切り替える例について説明したが、第１電源装置１を一旦停止させるようにしても良い。
【００６２】
本実施形態に係る電源装置の回路構成図を図１０に示す。図１０に示すように、第１電源装置１側にリレー（第２継電器、ＲＹ２、ＡＣ遮断手段）２２を設け、第１電源装置１へのＡＣ電源の供給を、リレー（ＲＹ２）遮断信号により停止させるようにしても良い。
【００６３】
（第４の実施形態）
上記第１の実施形態では、第１電源装置１の出力電圧を５Ｖから４．５Ｖへ切り替える例について説明したが、第１電源装置１の出力電流が１Ａを超えないように制御するようにしても良い。
【００６４】
本実施形態に係る電源装置の回路構成図を図１１に示す。図１１に示すように、第１電源装置１の出力部に電流監視回路２３を設け、この電流監視回路２３と、これに接続されるフォトカプラ２４により、第１電源装置１からの供給電流を監視し、供給電流が１Ａを超えないように制御するようにしても良い。
【００６５】
（第５の実施形態）
上記第１の実施形態では、第１電源装置１の出力電圧を５Ｖから４．５Ｖへ切り替える例について説明したが、第１電源装置１の出力電流に比例して出力電圧が減衰するようにしても良い。
【００６６】
本実施形態に係る電源装置の回路構成図を図１２に示す。図１２に示すように、第１電源装置１の出力側に直流抵抗（直流抵抗部）２５を設け、この直流抵抗２５により、第１電源装置１からの供給電流が増えると、出力電圧が低下するようにしても良い。
【００６７】
（第６の実施形態）
上記第１の実施形態では、第２電源装置２の起動に際し、リレー起動信号５をリレー（ＲＹ１）３で受けてＡＣ電源を供給することで起動する例を説明したが、ＲＹ１起動信号５を制御回路で受けて起動するようにしても良い。
【００６８】
本実施形態に係る電源装置の回路構成図を図１３に示す。図１３に示すように、オフ時遅延回路１１ａと遅延回路１１ｂとを備え、制御信号で停止させることで、停止するまでの時間を短くすることができる。第１電源装置１が電圧上昇信号７で５．１Ｖに上昇するよりも早く停止する場合は、遅延回路１１ｂにて第２電源装置２が５.１Ｖに上昇した後に停止するように制御するものである。
【００６９】
以上説明した本発明に係る電源装置は、多くの電子機器装置の電源装置として用いることができ、特に、複写機、プリンタ、ファクシミリ、および、それらの機能を複合化した装置等の画像形成装置の電源装置として用いることが好適である。
【００７０】
尚、上述の実施形態は本発明の好適な実施の例ではあるがこれに限定されるものではなく、本発明の要旨を逸脱しない範囲において種々変形実施可能である。
【符号の説明】
【００７１】
１  第１電源装置
２  第２電源装置
３  リレー（第１継電器）
４ａ  電圧上昇スイッチ
４ｂ  検出遮断スイッチ
５  リレー起動信号
６  出力電圧切替信号
７  電圧上昇信号
８  トランス
８ａ  トランスの補助巻き線
９  第２電源装置出力開始信号
１０  一次回路
１１，１１ａ，１１ｂ  遅延回路
１２  ＡＮＤ回路
１３  信号絶縁回路
１３ａ  フォトカプラ
１４  電圧検出回路
１５  ＮＯＴ回路
１６  発光素子
１７  受光素子
１８  シャントレギュレータＩＣ
１９  出力トランジスタ
２０  オペアンプ（比較回路）
２１  基準電圧源
２２  リレー（第２継電器）
２３  電流監視回路
２４  フォトカプラ
２５  直流抵抗
Ｄ１〜Ｄ４  ダイオード
Ｒ１〜Ｒ６  抵抗
【先行技術文献】
【特許文献】
【００７２】
【特許文献１】特許第３８２２７７９号公報
【特許文献２】特開２０１２−７０５００号公報
【図１】
2014057427.tif 000004
【図２】
2014057427.tif 000005
【図３】
2014057427.tif 000006
【図４】
2014057427.tif 000007
【図５】
2014057427.tif 000008
【図７】
2014057427.tif 000009
【図８】
2014057427.tif 000010
【図１０】
2014057427.tif 000011
【図１１】
2014057427.tif 000012
【図１２】
2014057427.tif 000013
【図１３】
2014057427.tif 000014
【図１４】
2014057427.tif 000015
【図１５】
2014057427.tif 000016
【図６】
2014057427.tif 000017
【図９】
2014057427.tif 000018